(57)【要約】【課題】本発明は、各種設定を、異常発生時にも簡単かつ正確に復旧することのできる画像処理装置に関する。【解決手段】デジタル複合装置１は、各種画像処理内容を決定する設定内容を不揮発性メモリ３に記憶し、この不揮発性メモリ３に記憶されている設定内容を、当該設定内容の文字情報とともにバーコードとして用紙に記録出力するとともに、当該記録出力したバーコードと不揮発性メモリ３の記憶している設定内容を自動的に比較検証する。したがって、不揮発性メモリ３の設定内容と当該設定内容を示す設定確認リスト３０のバーコードの内容を確実かつ容易に一致させることができる。【選択図】          図１
2006324720.tif 000002
【特許請求の範囲】
【請求項１】
各種設定内容を記憶手段に記憶して、当該設定内容に応じて各種画像処理を行うとともに、前記記憶手段の前記設定内容を当該設定内容を示す文字情報とバーコードに変換して、これらの文字情報とバーコードを照合可能な状態で設定確認データとして記録媒体に記録出力し、当該記録媒体の設定確認データのバーコードを読み取って当該読み取ったバーコードの設定内容を前記記憶手段に設定登録する画像処理装置であって、前記記録媒体の設定確認データのバーコードを読み取って、当該読み取ったバーコートの示す設定内容と前記記憶手段の設定内容とを比較確認する確認処理を行うことを特徴とする画像処理装置。
【請求項２】
前記画像処理装置は、前記確認処理の処理結果を所定の報知手段から報知出力することを特徴とする請求項１記載の画像処理装置。
【請求項３】
前記画像処理装置は、前記確認処理で、前記読み取ったバーコートの示す設定内容と前記記憶手段の設定内容とが異なるときには、当該異なる箇所を抽出して報知出力することを特徴とする請求項１または請求項２記載の画像処理装置。
【請求項４】
前記画像処理装置は、前記報知手段が所定の表示手段または所定の記録出力手段であることを特徴とする請求項２または請求項３記載の画像処理装置。
【発明の詳細な説明】
【技術分野】
【０００１】
本発明は、画像処理装置に関し、詳細には、各種設定を、異常発生時にも簡単かつ正確に復旧することのできる画像処理装置に関する。
【背景技術】
【０００２】
入力されるデータを記録剤に記録出力するプリンタ装置、原稿を読み取って得た画像情報を記録媒体に記録する複写装置、画像データを電話回線等を介して送受信するファクシミリ装置、原稿を読み取って得た画像情報を、電話回線網などを介して他の装置に転送するスキャナ装置及び上記プリンタ機能、スキャナ機能、コピー機能、ファクシミリ機能等の各種機能を備えた複合装置等の画像処理装置においては、ユーザが予め操作部で設定した設定内容に応じて画像処理を行うが、このユーザの設定した設定内容を、内蔵のメモリに格納して保存する。例えば、複写装置は、解像度や印刷オフセット値等の印刷に関する各種設定内容をメモリに格納し、また、ファクシミリ装置は、送信する原稿に添付する送信元情報や送信先の情報を短縮ダイアルとして登録した内容等をメモリに格納する。
【０００３】
このようなユーザが登録した設定データは、画像処理装置が誤動作した際やメンテナンスが行われたときに、消えてしまうことがあり、また、操作者が誤って設定を誤入力して、誤った内容が登録されることもある。
【０００４】
そこで、従来の画像処理装置においては、メモリ内に登録した設定データを電話番号リストや登録設定データリストとして、文字のみで記録媒体に事前に印刷し、バックアップデータとして保存したり、また、登録した設定データを専用のバックアップ用メモリカードに保存するものがある。
【０００５】
ところが、記録媒体に設定データを印刷して保存する場合、設定データがメモリから消失してしまうと、記録媒体に印刷した全ての内容を入力し直さなければならず、登録データ量が膨大である程、煩わしい作業である。また、メモリカードに設定データを保存する場合、メモリカードから設定データを転送することで、容易に設定データを復元することはできるが、高価な専用のメモリカードが必要であるだけでなく、静電気等によってメモリカードに記録した設定データが消えてしまうと、設定データを復元することができない。
【０００６】
そして、従来、画像処理内容をバーコード化して用紙に印刷出力し、当該バーコードを読み取って当該バーコードに対応する画像処理を実行する画像形成装置が提案されている（特許文献１参照）。
【０００７】
また、本出願人は、先に、印字条件や宛先情報をバーコード化して、当該印字条件や宛先情報とともにバーコードを用紙に印字し、当該用紙のバーコードを読み取って印字条件の設定や宛先設定を行うプリンタ装置及びファクシミリ装置を提案している（特許文献２参照）。
【０００８】
【特許文献１】特開平７−２８７４７７号公報
【特許文献２】特開平６−３４３１１５号公報
【発明の開示】
【発明が解決しようとする課題】
【０００９】
しかしながら、上記従来技術にあっては、画像処理装置内のメモリ内に正確に設定データが設定されているかを確認することが困難であり、利用性を向上させる上で、改良の必要があった。
【００１０】
すなわち、特許文献１記載の従来技術にあっては、バーコードで記録されている画像処理の内容が見ただけでは分からず、利用性が悪いという問題があった。
【００１１】
また、特許文献２記載の従来技術にあっては、印字条件や宛先情報とともにバーコードが印刷されているので、バーコードの内容を容易に把握することはできるが、画像処理装置のメモリに設定された内容が正確であるか否かを確認する作業が面倒であり、利用性を向上させる上で、改良の必要があった。
【００１２】
そこで、本発明は、画像処理の内容を決定する記憶手段の設定内容と当該設定内容を示すバーコードの内容を正確にかつ容易に一致させ、異常時等にバーコードを読み取って記憶手段に復元する際に、復元内容をいちいち確認することなく、正確にかつ容易に設定内容を復元して、利用性の良好の画像処理装置を提供することを目的としている。
【課題を解決するための手段】
【００１３】
請求項１記載の発明の画像処理装置は、各種設定内容を記憶手段に記憶して、当該設定内容に応じて各種画像処理を行うとともに、前記記憶手段の前記設定内容を当該設定内容を示す文字情報とバーコードに変換して、これらの文字情報とバーコードを照合可能な状態で設定確認データとして記録媒体に記録出力し、当該記録媒体の設定確認データのバーコードを読み取って当該読み取ったバーコードの設定内容を前記記憶手段に設定登録する画像処理装置であって、前記記録媒体の設定確認データのバーコードを読み取って、当該読み取ったバーコートの示す設定内容と前記記憶手段の設定内容とを比較確認する確認処理を行うことにより、上記目的を達成している。
【００１４】
この場合、例えば、請求項２に記載するように、前記画像処理装置は、前記確認処理の処理結果を所定の報知手段から報知出力するものであってもよい。
【００１５】
また、例えば、請求項３に記載するように、前記画像処理装置は、前記確認処理で、前記読み取ったバーコートの示す設定内容と前記記憶手段の設定内容とが異なるときには、当該異なる箇所を抽出して報知出力するものであってもよい。
【００１６】
さらに、例えば、請求項４に記載するように、前記画像処理装置は、前記報知手段が所定の表示手段または所定の記録出力手段であるものであってもよい。
【発明の効果】
【００１７】
本発明の画像処理装置によれば、記憶手段に記憶されている画像処理の内容を決定する設定内容を、当該設定内容の文字情報とともにバーコードとして記録媒体に記録出力するとともに、当該記録出力したバーコードと当該記憶手段の記憶している設定内容を自動的に比較検証するので、記憶手段の設定内容と当該設定内容を示すバーコードの内容を正確にかつ容易に一致させることができ、異常時等にバーコードを読み取って記憶手段に復元する際に、復元内容をいちいち確認することなく、正確にかつ容易に設定内容を復元して、利用性を向上させることができる。
【発明を実施するための最良の形態】
【００１８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１９】
図１〜図４は、本発明の画像処理装置の一実施例を示す図であり、図１は、本発明の画像処理装置の一実施例を適用したデジタル複合装置１のブロック構成図である。
【００２０】
図１において、デジタル複合装置１は、システム制御部２、不揮発性メモリ３、揮発性メモリ４、バーコードＣＯＤＥＣ５、画像バッファメモリ６、プリンタ７、操作部８、表示部９、スキャナ部１０、ネットワーク送受信部１１、ＦＡＸ送受信部１２及びイメージデータ変換部１３等を備えていて、各部がシステムバス１４に接続されており、画像の読み取り、記録出力、送受信等のいわゆるコピー機能、ファックス機能、プリンタ機能、スキャナ機能等を備えている。
【００２１】
システム制御部２は、内部メモリに格納されているプログラムに基づいてデジタル複合装置１の各部を制御し、デジタル複合装置１としての基本処理を実行するとともに、後述する設定内容印刷処理及び確認処理を実行する。
【００２２】
不揮発性メモリ３は、例えば、ＳＭＲＡＭ（System Management Random Access Memory）等によって構成され、ユーザによって設定された画像処理の内容を決定する設定データ等を記憶する。揮発性メモリ４は、例えば、ＤＲＡＭ（Dynamic Random Access Memory）等によって構成され、不揮発性メモリ３に記憶された設定データ等を読み出すためのメモリである。
【００２３】
バーコードＣＯＤＥＣ５は、不揮発性メモリ３に格納された設定データをバーコードに変換（符号化）したり、スキャナ部１０で読み取ったバーコードを設定確認データに復元（複合化）したりする。
【００２４】
画像バッファメモリ６は、設定確認データをプリンタ７で印刷する際に、システム制御部２の制御下で、この設定確認データを一旦記憶する。
【００２５】
プリンタ（報知手段）７は、所定の画像形成方式、例えば、電子写真方式、インク噴射方式等で、設定確認データや画像データ等を用紙（記録媒体）に印刷する。
【００２６】
操作部８は、各種操作キー等を備え、デジタル複合装置１の設定操作、設定データの登録操作等の各種設定操作が行われる。
【００２７】
表示部（報知手段）９は、ＬＣＤ（Liquid Crystal Display）等が用いられ、デジタル複合装置１の動作状態や各種メッセージ等のユーザに伝達する内容を表示する。
【００２８】
スキャナ部１０は、用紙に記録された画像データやバーコード等の画情報を主走査及び副走査して、当該画情報を読み取る。
【００２９】
ネットワーク送受信部１１には、ＬＡＮ（Local Area Network）等のネットワーク２０を介して、ネットワーク送受信部１１は、ネットワーク２０に接続された他の機器とデータの送受信を行う。
【００３０】
ＦＡＸ送受信部１２には、電話回線網２１が接続されており、ＦＡＸ送受信部１２は、電話回線網２１を介して、他のファクシミリ装置等の機器とファクシミリ通信手順を実行して、データのファクシミリ送受信を行う。
【００３１】
イメージデータ変換部１３は、デジタル複合装置１の各種設定データを文字データとして画像データ（イメージデータ）に変換する。
【００３２】
なお、デジタル複合装置１は、メインＣＰＵやサブＣＰＵ等の複数のＣＰＵを備える場合には、上記システム制御部２、バーコードＣＯＤＥＣ５及びイメージデータ変換部１３が、それぞれ個別のＣＰＵに割り当てられ、デジタル複合装置１が、ＣＰＵを１つだけ備えている場合には、システム制御部２に、バーコードＣＯＤＥＣ５とイメージデータ変換部１３とが含まれる構成となる。
【００３３】
また、報知手段としては、上記表示部９及びプリンタ７以外に、音声でユーザに報知するためのスピーカや音声合成部を備えていてもよい。
【００３４】
さらに、画像処理装置としては、デジタル複合装置１に限るものではなく、複写装置やファクシミリ装置等であってもよい。
【００３５】
次に、本実施例の作用を説明する。本実施例のデジタル複合装置１は、各種設定内容を当該設定内容を示す文字情報とともにバーコードとして用紙に記録出力するとともに、当該記録出力したバーコードの適否を自動判別する。
【００３６】
すなわち、デジタル複合装置１は、プリンタ７の印刷時の各種設定やファクシミリ機能の送信宛先アドレス等の設定内容が、ユーザによって操作部８から設定入力されると、システム制御部２が、当該設定内容が正常に動作する設定内容であることを確認して、当該設定データを不揮発性メモリ３に格納する。そして、システム制御部２は、操作部８で設定データの印刷出力が指示操作されると、不揮発性メモリ３に格納され正常に動作することが確認された設定データを、確認用データとして、図２に示すように、プリンタ７で設定確認リスト３０を用紙Ｐに印刷する。システム制御部２は、この設定確認リスト３０の印刷においては、まず、不揮発性メモリ３の設定データを、バーコードＣＯＤＥＣ５でバーコードのデータへ変換させ、また、イメージデータ変換部１３で文字データに変換させ、これらの変換されたバーコードと文字データを照合が容易な設定確認リスト３０のような所定のリスト形式の画像データとして、画像バッファメモリ６に展開し、画像バッファメモリ６内の画像データをプリンタ７に転送して、プリンタ７で用紙Ｐに印刷出力させる。
【００３７】
設定確認リスト３０には、例えば、図２に示すように、設定登録リストとして、アドレス３１やプリンタ設定３２等が表示される。アドレス３１として、例えば、短縮ダイアルのデータである短縮番号（Ｎｏ）、メールアドレス（ｍａｉｌ）、電話番号（ＴＥＬ）、会社名等の名前Ａ（ＮａｍｅＡ）、個人名の名前Ｂ（ＮａｍｅＢ）等の設定確認データが、文字で記録表示されるとともに、当該文字で記録表示した設定確認データがコード変換されたバーコード（Ｃｏｄｅ）が記録表示される。そして、設定確認リスト３０は、文字で記録表示した設定確認データと、バーコードで記録表示した設定確認データと、を容易に照合できるように記録表示されている。例えば、アドレス３１の１番目のデータにおいて、短縮番号の「０１」はバーコード４１に、メールアドレスの「xxx@abc.co.jp 」はバーコード４２に、電話番号の「0123-45-6789」はバーコード４３に、名前Ａの「○×電気」はバーコード４４に、名前Ｂ３５の「△△○○」はバーコード４５に、それぞれ変換されて記載されている。
【００３８】
また、設定確認リスト３０には、プリンタ設定３２として、プリンタ７の各種設定に関する設定内容が、文字データとバーコード５０として表示される。プリンタ設定３２は、所定の設定内容毎にバーコード５０に変換され、例えば、図２では、プリント枚数・解像度・トナーセーブ・スムージング・給紙トレイに関する設定内容が１つのバーコードに変換され、また、用紙サイズ・印刷向き・エミュレーションに関する情報が１つのバーコードに変換され、さらに、上オフセットに関する情報及び下オフセットに関する情報は、それぞれ異なるバーコードに変換されている。なお、図２において、バーコード４１〜４５及びバーコード５０は、一例として、二次元バーコードを用いているが、バーコードとしては、二次元バーコードに限るものではなく、例えば、一次元バーコードであってもよい。
【００３９】
次に、この設定確認リスト３０の印刷処理について、図３に基づいて説明する。デジタル複合装置１は、操作部８のキー操作で設定内容の印刷出力が指示操作されると、システム制御部２が、図３に示すように、ＳＲＡＭ等の不揮発性メモリ３から設定データを読み出してＤＲＡＭ等の揮発性メモリ４に書き込み（ステップＳ１０１）、揮発性メモリ４の設定データをバーコードＣＯＤＥＣ５に渡してバーコードＣＯＤＥＣ５にバーコードデータに変換させる（ステップＳ１０２）。
【００４０】
システム制御部２は、揮発性メモリ４に読み出した設定データを、イメージデータ変換部１３で文字データとして画像データに変換させ（ステップＳ１０３）、これらの変換されたバーコードデータと文字データを、画像バッファメモリ６に、照合可能なリスト形式の設定確認リスト画像データとして格納する（ステップＳ１０４）。
【００４１】
そして、システム制御部２は、この設定確認リスト画像データをプリンタ７に渡して、プリンタ７で用紙Ｐに設定確認リスト３０として印刷させる（ステップＳ１０５）。
【００４２】
デジタル複合装置１は、次に、このようにして用紙Ｐに印刷出力された設定確認リスト３０がスキャナ部１０にセットされて、操作部８で所定の確認処理操作が行われると、図４に示す確認処理を行う。なお、図４に示した設定確認処理では、バーコードの読み取りエラーが発生してバーコードの設定データの確認ができなかった場合に、全てのバーコードのデコードを完了してからエラー内容を表示するようにしている。
【００４３】
すなわち、システム制御部２は、設定確認リスト３０がスキャナ部１０にセットされて、操作部８で所定の確認処理操作が行われると、図４に示すように、まず、スキャナ部１０に設定確認リスト３０の読み取りを行わせ（ステップＳ２０１）、スキャナ部１０の読み取った設定確認リスト３０のバーコードを画像バッファメモリ６に格納して当該バーコードの総数Ｎを認識するとともに（ステップＳ２０２）、変数ｎを「０」に初期化する（ステップＳ２０３）。
【００４４】
システム制御部２は、画像バッファメモリ６に格納したＮ個のバーコードのうち、１個目のバーコードをバーコードＣＯＤＥＣ５で復元させ（ステップＳ２０４）、復元が済んだ設定確認データを揮発性メモリ４に格納する（ステップＳ２０５）。
【００４５】
システム制御部２は、１個のバーコードの復元が完了して復元した設定確認データを揮発性メモリ４に格納すると、変数ｎの値を「１」だけカウントアップし（ステップＳ２０６）、変数ｎがバーコードの総数Ｎと等しいか否かを判定する（ステップＳ２０７）。
【００４６】
ステップＳ２０７で、変数ｎがバーコードの総数Ｎと等しくない場合には、システム制御部２は、ステップＳ２０４に戻って、次のバーコードについて上記同様に処理する処理を変数ｎが総数Ｎと等しくなるまで繰り返し行い、ステップＳ２０７で、変数ｎがバーコードの総数Ｎと等しい場合には、全てのバーコードの復元処理が終了したとして、揮発性メモリ４の当該バーコードを変換した全ての設定確認データと不揮発性メモリ３の設定データを比較して等しいか確認する（ステップＳ２０８）。
【００４７】
ステップＳ２０８で、設定確認データと設定データを比較して異なるものがない場合には、システム制御部２は、設定確認リスト３０へ記録出力した設定確認データと不揮発性メモリ３に設定されている設定データとが一致していて適切である旨の確認メッセージ、例えば、「設定確認  ＯＫ」等を表示部９に表示出力して、処理を終了する（ステップＳ２０９）。
【００４８】
また、ステップＳ２０８で、設定確認データと設定データを比較して異なるものがある場合には、システム制御部２は、設定確認リスト３０へ記録出力した設定確認データと不揮発性メモリ３に設定されている設定データとが異なるものがあり不適切である旨の確認メッセージ、例えば、「設定に誤りがあります」等を表示部９に表示出力し、また、当該不一致の箇所の設定データの内容及び正しい設定内容を、揮発性メモリ４及び不揮発性メモリ３から読み出してプリンタ７で用紙Ｐへ印刷して処理を終了する（ステップＳ２１０）。
【００４９】
このように、本実施例のデジタル複合装置１は、不揮発性メモリ３に記憶されている画像処理の内容を決定する設定内容を、当該設定内容の文字情報とともにバーコードとして用紙Ｐに記録出力するとともに、当該記録出力したバーコードと不揮発性メモリ３の記憶している設定内容を自動的に比較検証している。
【００５０】
したがって、不揮発性メモリ３の設定内容と当該設定内容を示す設定確認リスト３０のバーコードの内容を正確にかつ容易に一致させることができ、異常時等にバーコードを読み取って不揮発性メモリ３に復元する際に、復元内容をいちいち確認することなく、正確にかつ容易に設定内容を復元して、利用性を向上させることができる。
【００５１】
また、設定確認リスト３０には、バーコードのみではなく文字でも設定内容が記録されているので、設定内容を容易かつ速やかに確認するすることができる。
【００５２】
さらに、本実施例のデジタル複合装置１は、不揮発性メモリ３の設定内容と設定確認リスト３０のバーコードの内容が一致するときには、その旨を表示部９に表示出力するので、不揮発性メモリ３の設定内容が正しく設定されていること、また、設定内容が正確にバーコード化されて読み取られることを簡単かつ容易に確認することができる。
【００５３】
また、本実施例のデジタル複合装置１は、不揮発性メモリ３の設定内容と設定確認リスト３０のバーコードの内容が一致しないときには、その旨を表示部９に表示出力するので、不揮発性メモリ３の設定内容が誤っていいるか、または／及び、設定内容が正確にバーコード化されていない、あるいは、正確にバーコードが読み取られないことを簡単かつ容易に確認することができる。
【００５４】
さらに、本実施例のデジタル複合装置１は、不揮発性メモリ３の設定内容と設定確認リスト３０のバーコードの内容が一致しないときには、設定内容のどの箇所が、不揮発性メモリ３の設定内容が誤っていいるか、または／及び、設定内容が正確にバーコード化されていない、あるいは、正確にバーコードが読み取られないことを簡単かつ容易に確認することができる。
【００５５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５６】
各種設定をメモリに保存して、当該メモリに保存している設定内容をバーコードとして記録媒体に記録出力するファクシミリ装置、複写装置、プリンタ、スキャナ、複合装置等の各種画像処理装置に適用することができる。
【図面の簡単な説明】
【００５７】
【図１】本発明の画像処理装置の一実施例を適用したデジタル複合装置のブロック構成図。
【図２】図１のデジタル複合装置の印刷出力する設定確認リストの一例を示す図。
【図３】図１のデジタル複合装置による設定確認リストの印刷処理を示すフローチャート。
【図４】図１のデジタル複合装置による設定確認処理を示すフローチャート。
【符号の説明】
【００５８】
１  デジタル複合装置
２  システム制御部
３  不揮発性メモリ
４  揮発性メモリ
５  バーコードＣＯＤＥＣ
６  画像バッファメモリ
７  プリンタ
８  操作部
９  表示部
１０  スキャナ部
１１  ネットワーク送受信部
１２  ＦＡＸ送受信部
１３  イメージデータ変換部
１４  システムバス
２０  ネットワーク
２１  電話回線網
３０  設定確認リスト
３１  アドレス
３２  プリンタ設定
４１〜４５、５０  バーコード
【図１】
2006324720.tif 000003
【図２】
2006324720.tif 000004
【図３】
2006324720.tif 000005
【図４】
2006324720.tif 000006